(57)【要約】      （修正有）【課題】施工性が良く防音効果以外の兼用的効果も備えた駅のプラットホームの防音構造を提供する。【解決手段】防音構造は、プラットホーム１に沿って停車する新幹線の車両２の下部の機械装置部分２１から発生する車両音による騒音を低減させるものであり、ホーム１上にＹ方向に１．５〜２ｍ程度の間隔Ｓを開けてホーム１の端１１から０．５ｍ程度の距離ｄだけ離して配設した吸音パネル３で構成されている。吸音パネル３は、吸音材、遮音板となる外板、被覆材、多孔板、上下カバー、足板、これと一体形成され吸音パネルの本体部分を保持するＨ型鋼、足板をホーム１に固定するアンカーボルト、等で構成されている。プラットホーム上の騒音低減効果が大きく施工が簡単で安全柵にも兼用できる。【選択図】図１
2005180121.tif 000002
【特許請求の範囲】
【請求項１】
プラットホームに沿って停車している車両から発生する音による騒音を低減させる防音構造において、
前記音を吸収するように前記車両の側に設けられた吸音材と前記音の通過を遮断するように該吸音材に対して前記車両の側の反対側に設けられ遮音板とを備えた吸音パネルを前記プラットホーム上の前記車両に近い位置に前記車両に平行な方向に人の通過間隔を開けて配設したことを特徴とする防音構造。
【請求項２】
前記プラットホームは間隔を開けて対向するように建設されていて前記音を吸収するように両側に設けられた吸音材と前記音の通過を遮断するように前記両側の吸音材の間に設けられた遮音板とを備えた第２吸音パネルを前記間隔の部分に前記車両に平行な方向に通路間隔を開けて配設したことを特徴とする請求項１に記載の防音構造。
【発明の詳細な説明】
【技術分野】
【０００１】
本発明は、プラットホームに沿って停車している車両から発生する音による騒音を低減させる防音構造に関する。
【背景技術】
【０００２】
例えば新幹線のような鉄道駅のプラットホームに列車が停車しているときには、停車中の車両の主として下部の機械装置部分から発生する車両音により、プラットホーム上でも人の話しが聞きにくい位の騒音になっている。
【０００３】
一方、列車の音がプラットホームや上部の屋根等で反射して駅の周辺環境に対する騒音になるとして、このような騒音の発生を低減させるように、プラットホームの下部の退避空間部に吸音体を取り付けた吸音構造が提案されている（特許文献１参照）。
【特許文献１】特開平５−１７９１６号公報
【発明の開示】
【発明が解決しようとする課題】
【０００４】
しかしながら、このような吸音構造では、プラットホーム上の騒音を低減させるには不十分である。又、退避空間はホーム下の狭い所であるため、施工性が良くないと共に、退避空間を狭めることになるだけで防音効果以外の兼用的効果がない。そこで本発明は、従来技術における上記問題を解決し、施工性が良く防音効果以外の兼用的効果も備えた駅のプラットホームの防音構造を提供することを課題とする。
【課題を解決するための手段】
【０００５】
本発明は上記課題を解決するために、請求項１の発明は、プラットホームに沿って停車している車両から発生する音による騒音を低減させる防音構造において、
前記音を吸収するように前記車両の側に設けられた吸音材と前記音の通過を遮断するように該吸音材に対して前記車両の側の反対側に設けられ遮音板とを備えた吸音パネルを前記プラットホーム上の前記車両に近い位置に前記車両に平行な方向に人の通過間隔を開けて配設したことを特徴とする。
【０００６】
請求項２の発明は、上記に加えて、前記プラットホームは間隔を開けて対向するように建設されていて前記音を吸収するように両側に設けられた吸音材と前記音の通過を遮断するように前記両側の吸音材の間に設けられた遮音板とを備えた第２吸音パネルを前記間隔の部分に前記車両に平行な方向に通路間隔を開けて配設したことを特徴とする。
【発明の効果】
【０００７】
本発明によれば、請求項１の発明においては、プラットホームに沿って停車している車両から発生する音として主として車両の下部の機械装置部分から発生する車両音を吸収するように車両の側に設けられた吸音材と車両音の通過を遮断するように吸音材に対して車両の側の反対側に設けられ遮音板とを備えた吸音パネルをプラットホーム上の車両に平行な方向に人の通過間隔を開けて配設するので、車両音が吸音パネルに当たったときに、この音を吸収すると共に、この音のうち吸音材を通過した音のプラットホーム上への通過を遮断することにより、音源側への音の反射を防止しつつ車両と反対側のプラットホーム上の騒音を低減させることができる。
【０００８】
その結果、プラットホーム上で乗車待ちをしている人が会話をしたり場内放送を聞くのが容易になり、騒音による不快感をなくしてホーム上での人の居心地を良くすることができる。
【０００９】
又、この吸音パネルは、車両に平行な方向に人の通過間隔を開けて設けられているので、人は通過間隔の部分を通って車両に乗降することができると共に、通過間隔を除いた吸音パネルの部分を人が車両に接触したりホームから転落することなどを防止する安全柵として利用することができる。
【００１０】
更に、この吸収パネルはプラットホーム上に配置されているため、吸収パネルをプラットホーム上の所定位置に並べた後にアンカーボルトで止める程度の工事によって設置されるので、施工工事が極めて簡単である。
【００１１】
請求項２の発明においては、上記に加えて、プラットホームが間隔を開けて対向するように配設されていて、この間隔の部分に第２吸音パネルを車両に平行な方向に通路間隔を開けて設け、第２吸音パネルが車両音を吸収するように両側に設けられた吸音材と車両音の通過を遮断するように両側の吸音材の間に設けられた遮断板とを備えるように構成するので、対向するプラットホームのうちの何れか一方側のプラットホームだけに車両が停車しているときに、その車両が発生させる音を吸収し、停車している車両への音の反射を防止しつつ他方側への音の通過を遮断し、一方側の車両音による他方側のプラットホーム上の騒音を低減させることができる。この場合、吸音パネルが通路間隔を開けて配置されているので、線路等の保守作業をするときには、作業者が通路間隔部分を通って両側の軌道部分に行き来することができ、第２吸音パネルを設けても作業等に障害になるようなことはない。
【発明を実施するための最良の形態】
【００１２】
図１は本発明を適用した防音構造の全体構成の一例を示し、図２はこの防音構造に適用する吸音パネルの一例を示す。
本例の防音構造は、例えば新幹線のプラットホーム１（以下「ホーム１」と略す）に沿って停車する新幹線の車両２によって発生する音として下部の機械装置部分２１から発生する音を主体とした車両音による騒音を低減させるものであり、ホーム１上に車両２に平行な方向であるＹ方向に人の通過間隔として１．５〜２ｍ程度の間隔Ｓを開けてホーム１の車両２に近い位置としてホーム１の端１１から例えば０．５ｍ程度の一定距離ｄだけ離して配設した吸音パネル３で構成されている。一定距離は、人の通過可能な範囲で防音効果が高いように小距離にされる。間隔Ｓは少なくとも車両２の繋ぎ部分に設けられ、上記一定距離の部分を介して人が車両に乗降できるようにされる。なお、車両の途中に人が通れる程度の間隔を適当に追加して設けるようにしてもよい。
【００１３】
吸音パネル３は、車両音を吸収するように車両２の側であるホーム１の外側Ａの側に設けられた吸音材３１と車両音の通過を遮断するように吸音材３１に対して外側Ａの側の反対側である内側Ｂの側に設けられ遮音板として塗装鋼板等からなる外板３２とを備えている。吸音材３１は、ＰＥＴ（ポリエチレンテレフタレート）、グラスウール、ロックウール、再生ＰＥＴ等の適当な材料のものからなり、水分等の侵入や付着を防止でき音を透過可能な被覆材３３で包まれている。被覆材としては、再生ＰＥＴ繊維の不織布や再生ＰＥＴ樹脂やフィルム等の適当な材料が用いられる。
【００１４】
被覆された吸音材３１は、外側Ａの側に設けられた金属製多孔板３４及び前記外板３２によってその形状を保持される。なお，多孔板３４に代えてスリット開口板等の他の適当な開口板を使用してもよい。両側の板を含む吸音材の上下端は上下カバー３５、３６で覆われていて、これらによって吸音パネル３の本体部分３Ａが一体的に形成されている。なお、図１（ｃ）では図示を省略しているが、紙面に直角な方向の両端になる左右端も通常カバーで覆われる。そして、ホーム１に対しては、下端に足板３７を溶接取り付けしたＨ型鋼３８からなるパネル取付枠をＹ方向に吸音パネルの長さ分だけ離して２箇所の位置に立設し、Ｈ型鋼のＨ字部分の間に本体部分３Ａを挿入して適当な詰め物で固定すると共に、足板３７をホーム１にアンカーボルト３９によって固定することによって吸音パネル３をホーム１上に配設した状態にする。Ｈ字部分の他の間には、連続して配設される他の吸音パネル３の本体部分３Ａが装着される。
【００１５】
以上のような吸音パネル３は、その吸音及び遮音性能によってホーム１上の騒音を低減させることができる。その低減量は、一般的に使用されている近似計算方法によって簡単に計算される。即ち、光の回折理論を用いて実験によって得られた図３に示す音圧レベルの減衰値曲線によって求めることができる。図においてＮはフレネルナンバーと称される無次元値であり、これを定めるδ及びλは、それぞれ、音源位置と目標位置までの障害物である外板３２を備えた吸音パネル３を回避した経路と直結経路との経路距離差及び音の波長である。
【００１６】
図４は、ホーム１に本例の吸音パネル３を配設したときの音源位置Ｐと目標位置Ｑ1 、Ｑ2 との距離関係を示す。音源位置Ｐは、車両音が主としてホーム１と車両２との隙間部分から長さ方向に一様に指向性なく放散している場合の隙間部分の一点である。目標位置Ｑ1 、Ｑ2 は一例であり、人の視界を妨げることなく防音効果の得られる高さとして１ｍの高さにされている吸音パネル３の頂点３ａからホーム１の内側Ｂの側に１ｍ離れた所及び吸音パネル３の頂点の１ｍ上でホーム１の内側Ｂの側に２ｍ離れた所である。
【００１７】
これらの位置では、波長２．７２ｍの音に対して、Ｎ及び減衰値Δｄｂは、計算及び図３から、
Ｎ（Ｑ1 ）＝2(1.1+1-1.8)/2.72 ＝0.22      Δｄｂ（Ｑ1 ）≒５ｄｂ
Ｎ（Ｑ2 ）＝2(1.1+2.2-3.2)/2.72 ＝0.07    Δｄｂ（Ｑ2 ）≒４ｄｂ
となる。従って、プラットホーム上での会話を容易にする程度の十分大きい騒音低減効果を得ることができる。なお、波長２．７ｍは、実際に騒音レベルが高いときの周波数１２５Ｈｚの音の波長である。又、上記計算値は実測値に十分近い値であった。
【００１８】
このような防音効果を持つ吸音パネル３は、Ｙ方向に車両２に沿って設けられているので、この部分では人がホームの端１１の行くことができない。その結果、吸音パネル３が安全柵としての効果も兼ね備えることになり、人が誤って車両に接触したりホームから転落するような事故を防止することができる。
【００１９】
又、本発明の防音構造は、吸音パネル３をプラットホーム１上に配設するだけであるから、基本的に設置工事が容易である。そして本例では、前記の如く、足板３７とＨ型鋼３８とを一体化してパネル装着枠とし、これをホーム１に配置し、これに吸音パネルの本体部分３Ａを挿入し、足板３７をホーム１に固定するだけの工事によって防音構造を完成させることができるので、施工工事が極めて簡単である。
【００２０】
図５は本発明を適用した防音構造の他の例を示す。
本例の防音構造では、図１の吸音パネル３の上部に透明遮音板４を追加して遮音効果を高めている。即ち、図１の吸音パネル３のＨ型鋼３８を上方に延長し、これらの部分に桟板４１を固定し、吸音パネル３の上に透明ポリカーボネイト等からなる透明遮音板４を挿入し、上カバー３５で蓋をすることによって遮音板追加型吸音パネル３´を製作し、これを図１の吸音パネル３と同じ配置にした防音構造にしている。
【００２１】
このようなパネル３´によれば、吸音効果の点では図１のものと同じであるが、人の視界を遮ることなく遮音効果を一層向上させることができる。即ち、図６に示す図４と同じＱ1 、Ｑ2 位置及び同じ高さでＱ2 から更に離れたＱ3 、Ｑ4 の位置の騒音レベルの減衰値Δｄｂを、図４の場合と同様の計算により、それぞれ９．５、７．５、８．０及び８．５ｄｂにすることができた。
【００２２】
図７は本発明を適用した防音構造の他の例を示す。
本例の防音構造は、図１のホーム１上に吸音パネル３を配設した構造に加えて、ホーム１がホーム１Ａ及び１Ｂとして間隔を開けて対向するように配設されている場合に、この間隔の部分のほぼ中央位置に第２吸音パネル５を通路間隔として例えば１０ｍ程度のピッチでＹ方向に作業者等が通過可能な１ｍ程度の間隔Ｓ2 を開けて配設した構造にされている。
【００２３】
この第２吸音パネル５は、車両２の車両音を吸収するように両側に設けられた吸音材と車両音の通過を遮断するように両側の吸音材の間に設けられた遮音板とを備えた構造にされるが、本例では、図２（ｃ）に示すような吸音パネル３の２枚分のそれぞれを多孔板３４及び吸音材３１が外向きになって外板３２が内向きに背中合になるように組み合わせた構造のものである。このような構造にすれば、図２の吸音パネルを標準品としてそのまま使用することができ、生産性を良くしてコスト低減を図ることができる。但し、外板３２を１枚だけにして全体を一体的に形成した製品にしてもよいことは勿論である。
【００２４】
第２吸音パネル５は、ホーム１上より低い線路レベルに設けられるので、吸音パネル３より高く例えば２．５ｍ程度の高さのものにされる。又、図５の吸音パネル３´のように、吸音パネルの本体部分３Ａの上に１ｍの透明遮音板４を追加装備した図７（ａ）に二点鎖線で追加部分を示すような第２吸音パネル５´にされてもよい。
【００２５】
このような第２吸音パネル５又は５´によれば、図８に示すように対向するプラットホームのうちの何れか一方側として本例ではホーム１Ｂだけに車両２Ｂが停車しているときに、その車両が発生させる音を吸収して停車している車両２Ｂへの音の反射を防止しつつ、他方側のホーム１Ａへの音の通過を遮断し、車両２Ｂの車両音による他方側ホーム１Ａ上の騒音を低減させることができる。例えばホーム１及び吸音パネル５又は５´が図示のような寸法で配置されているときには、車両２Ｂによるホーム１Ａ上のＱ5 位置の騒音レベルの減衰値Δｄｂ（Ｑ6 ）を、それぞれの吸音パネル５又は５´において５ｄｂ又は７ｄｂにすることができる。
【００２６】
本例の吸音パネル５、５´も、平地上の広い場所に設置されるので、その設置工事は容易である。又、吸音パネル５、５´がＹ方向に間隔Ｓ2 を開けて配置されているので、線路等の保守作業をするときには、作業者が間隔Ｓ2 部分を通って両側の軌道部分に行き来することができ、第２吸音パネルを設けても作業等に障害は生じない。
【００２７】
なお、図７において二点鎖線で示す如く、ホーム１の下の退避空間に吸音パネル６を追加装備するようにしてもよい。その場合には、車両２の下部の車両音が退避空間内で反射して発生する反響音を２〜３ｄＢ低減させ、それに対応してホーム１上の騒音を低下させることができる。
【００２８】
又以上では、防音構造を、車両が一定の長さで一定の位置に停車する新幹線のプラットホームに適用した例について説明したが、本発明の防音構造は、各駅停車、準急、急行、特急等の各種車両が停車する一般の駅のプラットホームに対しても適用可能であり、その場合でも、騒音低減及び安全性向上の効果を得ることができる。
【産業上の利用可能性】
【００２９】
本発明は、特に新幹線のプラットホームを含み駅のプラットホームにおける防音装置として好都合に利用される。
【図面の簡単な説明】
【００３０】
【図１】本発明を適用した防音構造の全体構成の一例を示し、（ａ）は正面図で（ｂ）は平面図である。
【図２】上記防音構造の吸音パネルの一例を示し、（ａ）乃至（ｄ）は正面図、側面図、本体部分の断面図及び平面図である。
【図３】上記防音構造における音圧レベルの減衰値の曲線図である。
【図４】上記減衰値の計算位置を示す説明図である。
【図５】上記防音構造に適用される吸音パネルの他の例を示し、（ａ）は正面図で（ｂ）は側面図である。
【図６】上記防音構造における前記減衰値の計算位置を示す説明図である。
【図７】本発明を適用した防音構造の他の例を示し、（ａ）は正面図で（ｂ）は平面図である。
【図８】上記防音構造における前記減衰値の計算位置を示す説明図である。
【符号の説明】
【００３１】
１                  ホーム（プラットホーム）
２                  車両
３、３´            吸音パネル
５、５´            第２吸音パネル
３１                吸音材
３２                外板（遮音板）
Ａ                  車両の側
Ｂ                  車両の側の反対側
Ｓ                  通過間隔
Ｓ2                 通路間隔
Ｙ                  車両に平行な方向
【図１】
2005180121.tif 000003
【図２】
2005180121.tif 000004
【図３】
2005180121.tif 000005
【図４】
2005180121.tif 000006
【図５】
2005180121.tif 000007
【図６】
2005180121.tif 000008
【図７】
2005180121.tif 000009
【図８】
2005180121.tif 000010